(57)【要約】【課題】駆動力伝達部材に発生する回転力や傾きを抑制し、駆動力伝達部材のスムーズなスライド移動を実現する。【解決手段】直進往復移動方向の一方向にプランジャ３１を直進駆動させるソレノイド２２と、ソレノイド２２の側方に配置されたラック２９に駆動力を伝達する駆動力伝達部材２５と、駆動力伝達部材２５を前記直進往復移動方向にスライド移動可能に支持するスライド支持部３２と、駆動力伝達部材２５を前記直進往復移動方向の他方向に付勢するスプリング２７とを備え、スプリング２７は、その作用線Ａとスライド支持部３２との距離Ｌ１が、プランジャ３１の中心線Ｂとスライド支持部３２との距離Ｌ２よりも小さくなるように、スライド支持部３２の近傍位置に前記直進往復移動方向に沿って配置される。【選択図】図５
2013102916.tif 000002
【特許請求の範囲】
【請求項１】
直進往復移動可能なプランジャを有し、該直進往復移動方向の一方向に前記プランジャを直進駆動させるソレノイドと、
前記プランジャに連結されて直進往復移動を行い、前記ソレノイドの側方に配置された従動部材に駆動力を伝達する駆動力伝達部材と、を備える遊技機であって、
前記駆動力伝達部材を前記直進往復移動方向にスライド移動可能に支持するスライド支持部と、
前記駆動力伝達部材を前記直進往復移動方向の他方向に付勢するスプリングと、を備え、
前記スプリングは、その作用線と前記スライド支持部との距離が、前記プランジャの中心線と前記スライド支持部との距離よりも小さくなるように、前記スライド支持部の近傍位置に前記直進往復移動方向に沿って配置されることを特徴とする遊技機。
【発明の詳細な説明】
【技術分野】
【０００１】
本発明は、パチンコ機などの遊技機に関し、特に、装飾可動部材などの従動部材をソレノイドの駆動力で動作させる遊技機に関する。
【背景技術】
【０００２】
パチンコ機などの遊技機では、装飾可動部材などの従動部材を動作させる駆動源として、電磁式アクチュエータの一種であるソレノイドが広く用いられている。この種のソレノイドは、直進往復移動可能なプランジャを有しており、コイルへの通電に伴って発生する電磁力により、直進往復移動方向の一方向（たとえば引き込み方向）にプランジャを直進駆動させるように構成されている。
【０００３】
上記のようにソレノイドの駆動力で従動部材を動作させるにあたり、ソレノイドの側方（プランジャの直進往復移動方向の延長線上から外れた位置）に従動部材を配置することがある。このような場合には、プランジャに連結されて直進往復移動する駆動力伝達部材を設け、該駆動力伝達部材を介して従動部材に駆動力を伝達することが行われている（たとえば特許文献１参照）。
【０００４】
たとえば特許文献１に示される駆動力伝達部材は、突起状のスライドガイドを備えており、このスライドガイドがガイド溝にスライド移動可能な状態で嵌合支持されている。そして、特許文献１に示されるプランジャには、直進往復移動方向の他方向（たとえば突出方向）にプランジャを付勢するスプリングが設けられており、ソレノイドがオフのときは、スプリングの付勢力でプランジャが直進往復移動方向の他方向に直進移動し、駆動力伝達部材もこれに追従するようになっている。
【先行技術文献】
【特許文献】
【０００５】
【特許文献１】特開２００６−３１４６５８号公報
【発明の概要】
【発明が解決しようとする課題】
【０００６】
しかしながら、特許文献１に示されるものでは、駆動力伝達部材の端部（プランジャとの連結位置）にスプリングの付勢力が加わるので、駆動力伝達部材に回転力（モーメント）や傾きが発生し、駆動力伝達部材のスムーズなスライド移動を妨げるおそれがある。その理由は、駆動力伝達部材に回転力や傾きが発生すると、スライドガイドとガイド溝との間の摩擦抵抗が増大するからであり、これは回転力や傾きの大きさに比例して顕著となる。
【０００７】
なお、スプリングの付勢力によって駆動力伝達部材に発生する回転力（モーメント）の大きさＮは、スプリングの付勢力の大きさをＦ、スプリングの作用線と駆動力伝達部材の支点（スライド支持部）との距離をＬとした場合、Ｎ＝Ｌ×Ｆによって表すことができる。
【０００８】
本発明は、このような事情に鑑みてなされたものであり、その目的は、ソレノイドの駆動力を、ソレノイドの側方に配置した従動部材に対し、スライド移動可能な駆動力伝達部材を介して伝達するものでありながら、駆動力伝達部材に発生する回転力や傾きを抑制し、駆動力伝達部材のスムーズなスライド移動を実現することができる遊技機を提供することにある。
【課題を解決するための手段】
【０００９】
本発明は、以下の構成によって把握することができる。
すなわち、本発明の遊技機は、直進往復移動可能なプランジャを有し、該直進往復移動方向の一方向に前記プランジャを直進駆動させるソレノイドと、前記プランジャに連結されて直進往復移動を行い、前記ソレノイドの側方に配置された従動部材に駆動力を伝達する駆動力伝達部材と、を備える遊技機であって、前記駆動力伝達部材を前記直進往復移動方向にスライド移動可能に支持するスライド支持部と、前記駆動力伝達部材を前記直進往復移動方向の他方向に付勢するスプリングと、を備え、前記スプリングは、その作用線と前記スライド支持部との距離が、前記プランジャの中心線と前記スライド支持部との距離よりも小さくなるように、前記スライド支持部の近傍位置に前記直進往復移動方向に沿って配置されることを特徴とする。
このようにすると、スプリングの作用線とスライド支持部との距離を、プランジャの中心線とスライド支持部との距離よりも小さくすることができるので、プランジャにスプリングを設けていた従来に比べ、駆動力伝達部材に発生する回転力や傾きを抑制し、駆動力伝達部材のスムーズなスライド移動が可能になる。
【発明の効果】
【００１０】
本発明の遊技機によれば、ソレノイドの駆動力を、ソレノイドの側方に配置した従動部材に対し、スライド移動可能な駆動力伝達部材を介して伝達するものでありながら、駆動力伝達部材に発生する回転力や傾きを抑制し、駆動力伝達部材のスムーズなスライド移動を実現することができる。
【図面の簡単な説明】
【００１１】
【図１】本発明の実施形態に係る遊技機が備える遊技盤の概略正面図である。
【図２】本発明の実施形態に係る遊技機が備える装飾可動装置の概略正面図である。
【図３】本発明の実施形態に係る装飾可動装置を装飾可動ユニット単位で分離させた通常時（ソレノイド−オフ）の要部概略背面図である。
【図４】本発明の実施形態に係る装飾可動装置を装飾可動ユニット単位で分離させた可動時（ソレノイド−オン）の要部概略背面図である。
【図５】（Ａ）は本発明の実施形態に係る装飾可動ユニットの通常時を示す概略背面図、（Ｂ）は本発明の実施形態に係る装飾可動ユニットの可動時を示す概略背面図、（Ｃ）はスライド支持部の水平断面図である。
【図６】（Ａ）〜（Ｅ）は本発明の実施形態に係る装飾可動ユニットのスプリング配置例を示す説明図である。
【発明を実施するための形態】
【００１２】
以下、添付図面を参照して、本発明を実施するための形態（以下、実施形態）について詳細に説明する。なお、実施形態の説明の全体を通して同じ要素には同じ番号を付している。
【００１３】
〈遊技盤〉
図１は、本発明の実施形態に係る遊技機が備える遊技盤の概略正面図である。
この図に示すように、遊技盤１０の周辺の若干の領域を除く中央部は遊技領域１１となっている。遊技領域１１はほぼ円形のガイドレール１２に囲まれるように構成され、このガイドレール１２は、図中下側から左肩側にかけて外側レール１２Ａと内側レール１２Ｂを備え、パチンコ球を外側レール１２Ａと内側レール１２Ｂの間の通路を通して遊技領域１１の上方へ導くようになっている。パチンコ球は、図示しない機枠に取り付けられた操作レバーによって駆動される打槌機構によって、図中下側から外側レール１２Ａと内側レール１２Ｂの間の通路に発射されるようになっている。なお、遊技領域１１の上方から落下するパチンコ球は、後述する入賞口、始動口等に入賞したものを除いて、遊技領域１１の最下端位置に設けられたアウト口１３を通して回収されるようになっている。
【００１４】
遊技盤１０の遊技領域１１のほぼ中央であって若干上側に偏位した位置に矩形状の開口１４が形成されている。遊技盤１０の裏面にはたとえば液晶表示器からなる画像表示装置１５が配置され、この画像表示装置１５の表示面１５Ａは前記開口１４を通して目視できるようになっている。画像表示装置１５は、たとえばパチンコ遊技の最中においてインフォメーションを表示し、あるいは入賞の際にその興奮を盛り上げさせるような工夫がされた画像を表示するようになっている。
【００１５】
遊技領域１１の画像表示装置１５の下部には、たとえば表示面１５Ａ（開口１４）の下辺に沿い遊技者側に若干突出するステージ１６が設けられている。このステージ１６の上面はたとえば波状の湾曲面となっており、その水平方向における中央部の下部には排出口１７が設けられている。パチンコ球は、表示面１５Ａ（開口１４）のたとえば左肩近傍からステージ１６に連結されるワープルート（図示せず）を通して該ステージ１６の上面に至った場合、パチンコ球はステージ１６の円弧面上を揺動しながら排出口１７に落下できるようになっている。
【００１６】
また、遊技領域１１の前記排出口１７の下部には、始動口１８が設けられており、この始動口１８の下方には大入賞口１９が設けられている。始動口１８にパチンコ球が入賞した際に、画像表示装置１５の画面上に表示されている特別図柄の変動が所定時間行われるようになっており、画像表示装置１５に複数の特別図柄が特定の停止表示態様で停止表示すると、大当たり遊技状態として、大入賞口扉１９Ａが予め定められた作動条件に従って開閉するようになっている。なお、遊技領域１１には、上述した始動口１８等の部材の他に、複数の障害釘、風車等が散在されて設けられ、これら障害釘、風車等に当たったパチンコ球は、その当たり方に応じた方向に落下できるようになっている。
【００１７】
遊技領域１１の表示面１５Ａの周辺には、装飾可動装置２０が配置されている（図２参照）。この装飾可動装置２０が配置される領域およびその近傍は、遊技領域１１を落下転動するパチンコ球が導かれることが無いようになっており、パチンコ球が装飾可動装置２０に衝突してしまうのを回避できるようになっている。たとえば本実施形態においては、遊技盤１０の盤面を透明な樹脂板で構成し、その裏側に装飾可動装置２０を配置することにより、装飾可動装置２０にパチンコ球が衝突することを防止している。
【００１８】
装飾可動装置２０の構成は後に詳述するが、たとえば画像表示装置１５の演出表示内容に合わせて動作させることによって、遊技の興趣を高める手段として用いることができるようになる。また、装飾可動装置２０は、たとえば入賞によって遊技者に有利となる特別遊技状態（大当たり遊技状態）等が付与された場合に、後述のような動作態様によって、遊技者にその旨を告知し、遊技者の期待を高めることができるようになる。
【００１９】
〈装飾可動装置〉
図２は、本発明の実施形態に係る遊技機が備える装飾可動装置の概略正面図、図３は、本発明の実施形態に係る装飾可動装置を装飾可動ユニット単位で分離させた通常時（ソレノイド−オフ）の要部概略背面図、図４は、本発明の実施形態に係る装飾可動装置を装飾可動ユニット単位で分離させた可動時（ソレノイド−オン）の要部概略背面図である。
これらの図に示すように、本実施形態の装飾可動装置２０は、手の形をした複数の装飾可動部材２１を備えており、これらの装飾可動部材２１をソレノイド２２の駆動力で動作させるように構成されている。
【００２０】
本実施形態では、複数の装飾可動部材２１をソレノイド２２の駆動力で動作させるにあたり、装飾可動部材２１及びソレノイド２２をそれぞれ一つずつ備える装飾可動ユニット２３、２４をあらかじめ構成し、この装飾可動ユニット２３、２４を複数連結して装飾可動装置２０を構成している。そして、複数の装飾可動部材２１は、図３及び図４に示すように、各装飾可動ユニット２３、２４に設けられるソレノイド２２のオン／オフ制御にもとづいて、同時または個別に動作（回動）されるようになっている。
【００２１】
本実施形態では、４つの装飾可動ユニット２３、２４を上下方向に連結して装飾可動装置２０を構成するにあたり、一番上の装飾可動ユニット２３を除く３つの装飾可動ユニット２４において本発明を適用している。以下、本発明が適用された装飾可動ユニット２４の詳細について、図５を参照して説明する。
【００２２】
〈装飾可動ユニット〉
図５の（Ａ）は本発明の実施形態に係る装飾可動ユニットの通常時を示す概略背面図、図５の（Ｂ）は本発明の実施形態に係る装飾可動ユニットの可動時を示す概略背面図、図５の（Ｃ）はスライド支持部の水平断面図である。
この図に示すように、装飾可動ユニット２４は、装飾可動部材２１、ソレノイド２２、駆動力伝達部材２５、ケース部材２６、スプリング２７などを備えて構成されている。
【００２３】
装飾可動部材２１は、上述のように手の形をした部材であり、背面には後方に突出する支軸２１ａを一体的に備えている。支軸２１ａの先端側は、ケース部材２６によって回動自在に支持されるとともに、ピニオンギヤ２８を一体的に備えている。ピニオンギヤ２８は、ケース部材２６によってスライド移動自在に支持されたラック２９（従動部材）に噛合しており、ラック２９のスライド移動に伴って回動し、装飾可動部材２１を動作させるようになっている。
【００２４】
ソレノイド２２は、ケース部材２６に固定状に支持されるソレノイド本体３０と、該ソレノイド本体３０に直進往復移動可能に支持されるプランジャ３１とを有しており、図示しないコイルへの通電に伴って発生する電磁力により、直進往復移動方向（本実施形態では上下方向）の一方向（本実施形態では上方向）にプランジャ３１を直進駆動させるように構成されている。そして、装飾可動ユニット２４におけるソレノイド２２の取付位置は、所定の間隔をあけてラック２９とほぼ平行な位置となっている。
【００２５】
駆動力伝達部材２５は、プランジャ３１に連結されて直進往復移動を行い、ソレノイド２２の側方に配置されたラック２９に駆動力を伝達する部材であって、駆動力伝達部材２５とケース部材２６との間には、駆動力伝達部材２５を前記直進往復移動方向にスライド移動可能に支持するスライド支持部３２が構成されている。本実施形態のスライド支持部３２は、図５の（Ｃ）に示すように、駆動力伝達部材２５に形成されたガイド溝２５ａと、ケース部材２６に形成されたガイドレール２６ａとからなり、ガイド溝２５ａはガイドレール２６ａにスライド移動可能な状態で嵌合支持されている。
【００２６】
本実施形態の駆動力伝達部材２５は、図５の（Ａ）、（Ｂ）に示すように、前記ガイド溝２５ａを有し、直進往復移動方向に沿うスライダ部２５ｂと、スライダ部２５ｂの一端部から一側方に延出してプランジャ３１に連結されるプランジャ連結アーム部２５ｃと、スライダ部２５ｂの他端部から他側方に延出してラック２９に連結されるラック連結アーム部２５ｄとを一体的に備えて構成されている。
【００２７】
スプリング２７は、駆動力伝達部材２５を前記直進往復移動方向の他方向（本実施形態では下方向）に付勢するように設けられ、ソレノイド２２がオフのとき、その付勢力によって駆動力伝達部材２５及びその連動部材（プランジャ３１、ラック２９、ピニオンギヤ２８、装飾可動部材２１）を初期位置（通常位置）に復帰させるようになっている。たとえば本実施形態のスプリング２７は、引張コイルスプリングからなり、駆動力伝達部材２５に形成されるフック２５ｅと、ケース部材２６に形成されるフック２６ｂとの間に架け渡されることにより、駆動力伝達部材２５を前記直進往復移動方向の他方向に付勢するようになっている。以下、本発明の要部であるスプリング２７の配置構成について、図５及び図６を参照して説明する。
【００２８】
〈スプリングの配置〉
図５の（Ａ）に示すように、スプリング２７は、その作用線Ａとスライド支持部３２との距離Ｌ１が、プランジャ３１の中心線Ｂとスライド支持部３２との距離Ｌ２よりも小さくなるように、スライド支持部３２の近傍位置に前記直進往復移動方向に沿って配置されている。
【００２９】
このようにスプリング２７を配置すると、駆動力伝達部材２５のスムーズなスライド移動が可能になる。その理由は、スプリング２７の作用線Ａとスライド支持部３２との距離Ｌ１を、プランジャ３１の中心線Ｂとスライド支持部３２との距離Ｌ２よりも小さくすることにより、プランジャ３１にスプリング２７を設けていた従来に比べ、駆動力伝達部材２５に発生する回転力や傾きを抑制できるからである。
【００３０】
すなわち、本実施形態の装飾可動ユニット２４において、スプリング２７の付勢力によって駆動力伝達部材２５に発生する回転力（モーメント）の大きさＮ１は、スプリング２７の付勢力の大きさをＦとした場合、Ｎ１＝Ｌ１×Ｆによって表すことができ、また、プランジャ３１にスプリング２７を設けていた従来において、スプリング２７の付勢力によって駆動力伝達部材２５に発生する回転力（モーメント）の大きさＮ２は、Ｎ２＝Ｌ２×Ｆによって表すことができるので、ここで、Ｌ１＜Ｌ２とすれば、Ｎ１＜Ｎ２となり、駆動力伝達部材２５に発生する回転力やそれに伴う傾きが抑制されることになる。
【００３１】
図６の（Ａ）〜（Ｅ）は本発明の実施形態に係る装飾可動ユニットのスプリング配置例を示す説明図である。
図６の（Ａ）は、上述の実施形態におけるスプリング２７の配置構成を示しており、スプリング２７は、スライド支持部３２（スライダ部２５ｂ）のラック２９側に沿うように配置されている。この場合、スプリング２７は、引張コイルスプリングとし、ラック連結アーム部２５ｄの基端部を下方に付勢するように設けられる。このようにすると、装飾可動ユニット２４の前後方向の厚み寸法や上下方向（直進往復運動方向）の高さ寸法を大きくすることなく、スライド支持部３２の近傍にスプリング２７を配置することができる。しかも、図６の（Ｂ）に示すように、スライド支持部３２のソレノイド２２側に沿うようにスプリング２７を配置する場合のように、プランジャ連結アーム部２５ｃを延長する必要がないので、プランジャ３１の直進駆動力によって駆動力伝達部材２５に発生する回転力や傾きも抑制することができる。
【００３２】
図６の（Ｂ）は、スライド支持部３２（スライダ部２５ｂ）のソレノイド２２側に沿うようにスプリング２７を配置した例を示している。この場合、スプリング２７は、圧縮コイルスプリングとし、プランジャ連結アーム部２５ｃの基端部を下方に付勢するように設けられる。このようにすると、装飾可動ユニット２４の前後方向の厚み寸法や上下方向な高さ寸法を大きくすることなく、スライド支持部３２の近傍にスプリング２７を配置することができる。
【００３３】
図６の（Ｃ）は、スライド支持部３２（スライダ部２５ｂ）の下方への延長線上に沿うようにスプリング２７を配置した例を示している。この場合、スプリング２７は、引張コイルスプリングとし、スライダ部２５ｂの下端部を下方に付勢するように設けられる。このようにすると、装飾可動ユニット２４の前後方向の厚み寸法を大きくすることなく、スライド支持部３２の近傍にスプリング２７を配置することができる。
【００３４】
図６の（Ｄ）は、スライド支持部３２（スライダ部２５ｂ）の上方への延長線上に沿うようにスプリング２７を配置した例を示している。この場合、スプリング２７は、圧縮コイルスプリングとし、スライダ部２５ｂの上端部を下方に付勢するように設けられる。このようにすると、装飾可動ユニット２４の前後方向の厚み寸法を大きくすることなく、スライド支持部３２の近傍にスプリング２７を配置することができる。
【００３５】
図６の（Ｅ）は、スライド支持部３２（スライダ部２５ｂ）の手前側又は奥側に沿うようにスプリング２７を配置した例を示している。この場合、スプリング２７は、引張コイルスプリングとし、スライダ部２５ｂの中間部を下方に付勢するように設けられる。このようにすると、装飾可動ユニット２４の上下方向の高さ寸法を大きくすることなく、スライド支持部３２の近傍にスプリング２７を配置することができる。
【００３６】
以上のように構成された本実施形態の遊技機によれば、直進往復移動可能なプランジャ３１を有し、該直進往復移動方向の一方向にプランジャ３１を直進駆動させるソレノイド２２と、プランジャ３１に連結されて直進往復移動を行い、ソレノイド２２の側方に配置されたラック２９に駆動力を伝達する駆動力伝達部材２５と、を備える遊技機であって、駆動力伝達部材２５を前記直進往復移動方向にスライド移動可能に支持するスライド支持部３２と、駆動力伝達部材２５を前記直進往復移動方向の他方向に付勢するスプリング２７と、を備え、スプリング２７は、その作用線Ａとスライド支持部３２との距離Ｌ１が、プランジャ３１の中心線Ｂとスライド支持部３２との距離Ｌ２よりも小さくなるように、スライド支持部３２の近傍位置に前記直進往復移動方向に沿って配置されるので、プランジャ３１にスプリング２７を設けていた従来に比べ、駆動力伝達部材２５に発生する回転力や傾きを抑制し、駆動力伝達部材２５のスムーズなスライド移動を実現することができる。
【００３７】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【００３８】
たとえば、上述した実施形態では、本発明が適用された遊技機の一例としてパチンコ機を挙げて説明したものである。しかし、本発明は、パチンコ機に限定されることはなく、パチスロ機（スロットマシン）のような他の遊技機にも適用することができる。
【符号の説明】
【００３９】
１０……遊技盤、２０……装飾可動装置、２１……装飾可動部材、２２……ソレノイド、２４……装飾可動ユニット、２５……駆動力伝達部材、２５ａ……ガイド溝、２６……ケース部材、２６ａ……ガイドレール、２７……スプリング、２８……ピニオンギヤ、２９……ラック、３１……プランジャ、３２……スライド支持部
【図１】
2013102916.tif 000003
【図２】
2013102916.tif 000004
【図３】
2013102916.tif 000005
【図４】
2013102916.tif 000006
【図５】
2013102916.tif 000007
【図６】
2013102916.tif 000008